(57)【要約】【課題】情報装置内に搭載された基板に高低差がある場合でも、ケーブルの両端部にある雄コネクタが雌コネクタから外れることが無いコネクタを提供する。【解決手段】フレキシブルフラットケーブル１を基板５のコネクタ２，４に接続するに際し、雄コネクタ４は、フレキシブルフラットケーブル１の先端部１Ｅに露出する端子部６と、端子部６の周囲のフレキシブルフラットケーブル１に設けられて雌コネクタ２に係合する係合部３を備えて形成し、基板５上に実装される雌コネクタ２は、本体２０と、本体２０の前面２１に設けられた端子部の受入部２５と、本体２０の側面２３に設けられて係合部３が係合した後に係合部３の本体２０の頂面２４側への移動を阻止する係止部７を備えて形成したコネクタである。【選択図】図５
2018098148.tif 000002
【特許請求の範囲】
【請求項１】
フレキシブルフラットケーブルを基板に接続するコネクタであって、
雄コネクタは、前記フレキシブルフラットケーブルの先端部に露出する端子部と、前記端子部の周囲の前記フレキシブルフラットケーブルに設けられて雌コネクタに係合する係合部を備え、
前記基板上に実装される前記雌コネクタは、本体と、前記本体の前面に設けられた前記端子部の受入部と、前記本体の側面に設けられて前記係合部が係合した後に前記係合部の前記本体の頂面側への移動を阻止する係止部を備えるコネクタ。
【請求項２】
前記係合部は、前記端子部が前記受入部に受け入れられた状態で、前記本体の前記側面及び背面を周回する環状をしており、前記側面に対向する部位には前記係合部の内側に突出する突出部が設けられており、
前記側面には、前記突出部が挿入される溝が設けられている請求項１に記載のコネクタ。
【請求項３】
前記係合部は、前記端子部が前記受入部に受け入れられた状態で、前記本体の前記側面及び背面を周回する環状をしており、前記側面に対向する部位には前記係合部の内側に突出する突出部が設けられており、
前記側面には、前記頂面側から前記側面の外側に向かって傾斜し、前記側面の下端部側には、前記突出部を係止する前記側面に垂直な面を備える係止突起が設けられている請求項１に記載のコネクタ。
【請求項４】
前記係合部は前記フレキシブルフラットケーブルと別体であり、
前記フレキシブルフラットケーブルに取付けられる第１の辺と、
前記第１の辺の両端部に接続し、前記端子部に沿って延伸された第２と第３の辺と、
前記第２と第３の辺の先端部同士を接続し、前記第１の辺に平行に設けられた第４の辺を備え、
前記係合部の内法は前記本体の外形よりもわずかに大きく、前記突出部は前記第２と第３の辺に設けられている請求項２または３に記載のコネクタ。
【請求項５】
前記係合部は前記フレキシブルフラットケーブルと一体的に形成されており、
前記フレキシブルフラットケーブルの両側から突出する第１の辺と、
前記第１の辺の両端部に接続し、前記端子部に沿って延伸された第２と第３の辺と、
前記第２と第３の辺の先端部同士を接続し、前記第１の辺に平行に設けられた第４の辺を備え、
前記係合部の内法は前記本体の外形よりもわずかに大きく、前記突出部は前記第２と第３の辺に設けられている請求項２または３に記載のコネクタ。
【請求項６】
筐体内に搭載された少なくとも２枚の基板同士がフレキシブルフラットケーブルで接続される情報装置であって、
前記２枚の基板には雌コネクタが実装されており、
前記雌コネクタと前記雄コネクタは、請求項１から５の何れか１項に記載の前記雌コネクタと前記雄コネクタである情報装置。
【発明の詳細な説明】
【技術分野】
【０００１】
本出願はコネクタ及びコネクタを備える情報装置に関する。
【背景技術】
【０００２】
近年、ノートパソコン、デジタルカメラ等の情報装置は小型化、軽量化、多機能化が進み、これに伴って内部の回路基板上の部品個々の占有スペースが小さくなり、コネクタも小型薄型化が要求されるようになってきた。そこで、コネクタの小型薄型化のために、フレキシブルフラットケーブル（ＦＦＣ:Flexible Flat Cable）やフレキシブル印刷回路基板（ＦＰＣ:Flexible Print Circuit）が使用される。以後、フレキシブルフラットケーブルはＦＦＣ、フレキシブル基板はＦＰＣと記載することがある。
【０００３】
ＦＦＣやＦＰＣは薄くて偏平であるので、接続用のコネクタには、抜け防止用のフラップ付の無反力コネクタ（ＺＩＦ(Zero Insertion Force)コネクタ）が使用されることが多い。一方で、コネクタの部品コストを押えるために、フラップのないＮＯＮ−ＺＩＦコネクタが使用される場合がある。
【０００４】
しかし、ＮＯＮ−ＺＩＦコネクタはケーブルの抜け止め機構がないため、ケーブルがコネクタから容易に外れる可能性がある。そこで、図１（ａ）に示す比較技術のように、ＦＦＣやＦＰＣ等のフラットケーブル１の先端部に、基板５に実装された結合先の雌コネクタ２に引掛けるための係合部３を設けた雄コネクタ４が実用化されている。
【０００５】
雄コネクタ４を雌コネクタ２に結合する場合は、図１（ｂ）に示すように、係合部３を引き上げた状態で雄コネクタ４を雌コネクタ２に挿入して結合する。そして、雄コネクタ４が雌コネクタ２に結合したら、図１（ｃ）に示すように、係合部３を元の位置に戻すことにより、係合部３が雌コネクタ２の背面２２に引っ掛かった状態になる。この状態では、フラットケーブル１に雄コネクタ４を雌コネクタ２から引き抜く方向の力が加わっても、係合部３が雌コネクタ２の背面２２に引っ掛かっているので、雄コネクタ４が雌コネクタ２から外れない。
【０００６】
例えば、図２（ａ）に示すように、情報装置１０に２枚の基板５Ａ，５Ｂが高低差無く搭載され、フラットケーブル１の両端にある雄コネクタ４Ａ，４Ｂがそれぞれ基板５Ａ、５Ｂにある雌コネクタ２Ａ、２Ｂに結合している場合にはコネクタ外れが無い。これは、フラットケーブル１に雄コネクタ４Ａ，４Ｂをそれぞれ雌コネクタ２Ａ，２Ｂから引き抜く方向の力が加わっても、係合部３が雌コネクタ２の背面２２に引っ掛かり、抜けを防止するからである。
【先行技術文献】
【特許文献】
【０００７】
【特許文献１】特開２００２−０５６９３１号公報
【０００８】
【特許文献２】特開２００４−００６５０７号公報
【発明の概要】
【発明が解決しようとする課題】
【０００９】
ところが、図２（ｂ）に示すように、情報装置１０に２枚の基板５Ａ，５Ｂが高低差を備えて搭載され、フラットケーブル１の両端にある雄コネクタ４Ａ，４Ｂがそれぞれ基板５Ａ、５Ｂにある雌コネクタ２Ａ、２Ｂに結合する場合には、コネクタが外れる虞がある。例えば、情報装置１０の基板５Ａの底面１０Ｂからの高さが、基板５Ｂの底面１０Ｂからの高さよりも高い場合、フラットケーブル１に矢印Ｐで示す方向の力が加わると、コネクタ４Ａの係合部３が雌コネクタ２Ａの背面２２から外れてしまう。すると、図２（ｃ）に示すように、雄コネクタ４Ａが雌コネクタ２Ａから外れてしまう。
【００１０】
１つの側面では、フラットケーブルが接続する基板の間に高低差がある場合でも、フラットケーブルの先端部にある雄コネクタが雌コネクタから外れることが無いコネクタを提供することを目的とする。また、情報装置内に搭載された基板に高低差があり、フラットケーブルが高低差のある基板同士を接続する場合でも、フラットケーブルの先端部にある雄コネクタが雌コネクタから外れない情報装置を提供することを目的とする。
【課題を解決するための手段】
【００１１】
１つの形態によれば、フレキシブルフラットケーブルを基板に接続するコネクタであって、雄コネクタは、フレキシブルフラットケーブルの先端部に露出する端子部と、端子部の周囲のフレキシブルフラットケーブルに設けられて雌コネクタに係合する係合部を備え、基板上に実装される雌コネクタは、本体と、本体の前面に設けられた端子部の受入部と、本体の側面に設けられて係合部が係合した後に係合部の本体の頂面側への移動を阻止する係止部を備えるコネクタが提供される。
【００１２】
他の形態によれば、筐体内に搭載された少なくとも２枚の基板同士がフレキシブルフラットケーブルで接続される情報装置であって、２枚の基板には雌コネクタが実装されており、雌コネクタと雄コネクタは、フレキシブルフラットケーブルを基板に接続するコネクタであって、雄コネクタは、フレキシブルフラットケーブルの先端部に露出する端子部と、端子部の周囲のフレキシブルフラットケーブルに設けられて雌コネクタに係合する係合部を備え、基板上に実装される雌コネクタは、本体と、本体の前面に設けられた端子部の受入部と、本体の側面に設けられて係合部が係合した後に係合部の本体の頂面側への移動を阻止する係止部を備えるコネクタである情報装置が提供される。
【発明の効果】
【００１３】
開示のコネクタでは、フラットケーブルが接続する基板の間に高低差がある場合でも、フラットケーブルの先端部にある雄コネクタが雌コネクタから外れ無いという効果がある。また、開示の情報装置では、情報装置内に搭載された基板に高低差があり、フラットケーブルが高低差のある基板同士を接続する場合でも、フラットケーブルのコネクタが外れないという効果がある。
【図面の簡単な説明】
【００１４】
【図１】（ａ）は結合前の比較技術の雌雄のコネクタを示す斜視図、（ｂ）は（ａ）に示した雄コネクタの係合部を引き上げた状態を示す斜視図、（ｃ）は結合後の比較技術の雌雄のコネクタを示す斜視図である。
【図２】（ａ）は図１に示した雌雄のコネクタを使用して２つの基板を接続した状態を示す側面図、（ｂ）は（ａ）に示した２つの基板の内の一方の基板の位置が他方の基板の位置より低い状態を示す側面図、（ｃ）は（ｂ）に示したコネクタの課題を示す部分側面図である。
【図３】（ａ）は本出願の第１の実施例のコネクタを形成するＦＦＣの一方の端部の部分斜視図、（ｂ）は（ａ）に示したＦＦＣの端部に係合部が取り付けられて雄コネクタが形成される状態を示す組立斜視図、（ｃ）は（ｂ）に示した工程で作られた開示の第１の実施例の雄コネクタの背面図、（ｄ）は（ｃ）に示した雄コネクタの平面図である。
【図４】（ａ）は図３（ｃ）、（ｄ）に示した第１の実施例の雄コネクタが取り付けられる開示の第１の実施例の雌コネクタが基板に取り付けられた状態を示す正面図、（ｂ）は（ａ）に示した雌コネクタが実装された基板の平面図、（ｃ）は（ａ）に示した雌コネクタを背面側から見た背面図である。
【図５】図３に示した雄コネクタが、図４に示した雌コネクタに結合される工程を示すものであり、（ａ）は雄コネクタが雌コネクタに近づいて係合部が引き上げられた状態を示す側面図、（ｂ）は（ａ）の斜視図、（ｃ）は係合部が引き上げられた状態で雄コネクタが雌コネクタに結合される状態を示す側面図、（ｄ）は（ｃ）の斜視図、（ｅ）は雄コネクタが雌コネクタに結合された状態で係合部が引き下げられ、係止部が雌コネクタの側面で変形する状態を示す側面図、（ｆ）は（ｅ）の斜視図、（ｇ）は雄コネクタが雌コネクタに結合された状態で係合部が完全に引き下げられて係合部の係止部が雌コネクタの溝に係合した状態を示す側面図、（ｈ）は（ｇ）の斜視図である。
【図６】（ａ）は図５（ｇ）、（ｈ）に示した第１の実施例の雄コネクタが第１の実施例の雌コネクタに結合された状態の平面図、（ｂ）は（ａ）のＢ−Ｂ線における断面図、（ｃ）は（ｂ）の部分拡大断面図である。
【図７】開示の第１の実施例のコネクタを使用して接続された高低差のある２つの基板を備える情報装置の内部構造を示す図である。
【図８】（ａ）は開示の第２の実施例の雄コネクタが第２の実施例の雌コネクタに結合される直前の状態を示す平面図、（ｂ）は（ａ）に示した第２の実施例の雌コネクタが基板に実装された状態の背面図、（ｃ）は第２の実施例の雄コネクタが第２の実施例の雌コネクタに結合された状態の平面図である。
【図９】（ａ）は開示の第３の実施例の雌コネクタが基板に実装された状態を示す正面図、（ｂ）は第１の実施例の雄コネクタが第３の実施例の雌コネクタに結合される直前の状態を示す平面図、（ｃ）は第１の実施例の雄コネクタが第３の実施例の雌コネクタに結合された状態を示す平面図、（ｄ）は（ｃ）の側面図である。
【図１０】開示の第３の実施例の雄コネクタの平面図である。
【図１１】（ａ）は開示の第４の実施例の雄コネクタの製造工程を示す平面図、（ｂ）は開示の第４の実施例の雄コネクタの平面図である。
【図１２】（ａ）は開示の第５の実施例の雄コネクタの平面図、（ｂ）は開示の第４の実施例の雌コネクタが基板に実装された状態の斜視図、（ｃ）は第４の実施例の雌コネクタの背面図、（ｄ）は開示の第５の実施例の雄コネクタが開示の第４の実施例の雌コネクタに結合された状態を示す平面図である。
【発明を実施するための形態】
【００１５】
以下、添付図面を用いて本出願の実施の形態を、具体的な実施例に基づいて詳細に説明する。なお、以下に説明する実施の形態においては、同一または類似の要素には共通の参照符号を付し、理解を容易にするために、図面の縮尺を適宜変更している。
【００１６】
図３（ａ）は開示する第１の形態の第１の実施例のコネクタを形成するＦＦＣ（フレキシブルフラットケーブル）１の一方の先端部の部分斜視図である。ＦＦＣ１は、導電線が配置された導電層８の両面が保護層９で挟まれて形成されており、両方のＦＦＣ１の先端部１Ｅにおいて、保護層９の一部が剥離されて導電線が露出した端子部６が形成されている。第１の形態では、ＦＦＣ１の先端部１Ｅに形成される雄コネクタは、ＦＦＣ１の端子部６の周囲に、後述する別体の係合部が取付けられて形成される。
【００１７】
図３（ｂ）は、図３（ａ）に示したＦＦＣ１の先端部１Ｅに、別体の係合部３が取り付けられて雄コネクタ４が形成される様子を示すものである。係合部３は、ＦＦＣ１に取付けられる第１の辺３１、第１の辺３１の両端部に接続し、端子部６に沿って延伸された第２と第３の辺３２，３３、及び第２と第３の辺３２，３３の先端部同士を接続し、第１の辺３１に平行に設けられた第４の辺３４を備える。係合部３は、ＦＦＣ１の端子部６がない側の面に接着剤などで取り付けられて雄コネクタ４が形成される、図３（ｃ）は、ＦＦＣ１に係合部３が取り付けられた後の状態を示している。図３（ｄ）は図３（ｃ）に示した雄コネクタ４を、端子部６が無い側の面から見たものである。
【００１８】
また、第１の実施例の雄コネクタ４では、第２と第３の辺３２，３３の内側に、第２と第３の辺３２，３３から所定高さ突出した突出部３０が設けられている。突出部３０は、硬質の弾性変形可能な板（例えばポリイミド、ポリエステル材）から形成されており、第２と第３の辺３２，３３に対して湾曲変形できるようになっている。更に、第１の辺３１の両端部と第２と第３の辺３２，３３との接続部分には、第２と第３の辺３２，３３と第４の辺３４を第１の辺３１に対して位置を変更することができる変形部３５が設けられている。変形部３５の動作については後述する。
【００１９】
図４（ａ）は、図３（ｃ）、（ｄ）に示した雄コネクタ４が取り付けられる、開示の第１の実施例の雌コネクタ２が、基板５に取り付けられた状態を正面側から見た図である。また、図４（ｂ）は基板５に取り付けられた図４（ａ）に示した雌コネクタ２の平面図であり、図４（ｃ）は図４（ａ）に示した雌コネクタ２を背面側から見た背面図である。雌コネクタ２の前面２１には雄コネクタの端子部の受入部２５が設けられており、両方の側面２３には、雄コネクタの突出部が挿入される溝７１が設けられている。溝７１は、側面の最下部、即ち側面２３の基板５側の際の部分に設けられている。
【００２０】
図５は、図３に示した雄コネクタ４が、図４に示した雌コネクタ２に結合される工程を示すものである。まず、図５（ａ）、（ｂ）に示すように、雄コネクタ４を雌コネクタ２に近づけ、係合部３が雌コネクタ２に干渉しないように、係合部３を雌コネクタ２の頂面２４より高い位置に引き上げる。次いで、図５（ｃ）、（ｄ）に示すように、ＦＦＣ１の端子部６を受入部２５に差し込んで雄コネクタ４を雌コネクタ２に結合させ、その課程で係合部３を下方に引き下げて、係合部３の第４の辺３４を雌コネクタ２の本体２０の背面２２に引っ掛けるようにする。
【００２１】
係合部３を下方に引き下げていくと、図５（ｅ）、（ｆ）に示すように、係合部３の第２の辺３２と第３の辺３３に設けられた突出部３０が、雌コネクタ２の本体２０の側面２３に当接して変形する。係合部３を引き下げ続けると、図５（ｇ）、（ｈ）に示すように、雄コネクタ４が雌コネクタ２に結合された状態で係合部３が完全に引き下げられ、突出部３０が雌コネクタ２の溝７１に入り込んで係合する。
【００２２】
なお、以上の動作において、係合部３を引き下げていくと、係合部３の第１の辺３１と、第２と第３の辺３２，３３との接続部に設けられた柔軟な部材で形成された変形部３５が変形し、第２と第３の辺３２，３３の位置を第１の辺３１の位置より下に下げる。この結果、第２と第３の辺３２，３３に設けられた突出部３０が、基板５の表面の位置まで下がり、雌コネクタ２の本体２０の側面２３の基板５に隣接する位置にある溝７１に係合するのである。
【００２３】
図６（ａ）は、図５（ｇ）、（ｈ）に示した第１の実施例の雄コネクタ４が第１の実施例の雌コネクタ２に結合された状態の平面図であり、図６（ｂ）は図６（ａ）のＢ−Ｂ線における断面図であり、図６（ｃ）は図６（ｂ）の部分拡大断面図である。係合部３の内法は雌コネクタ２の本体２０の外形よりもわずかに大きいだけであるので、この状態では、図６（ｃ）に詳細に示すように、突出部３０は雌コネクタ２の溝７１の内部に完全に入り込んでいる。
【００２４】
ここで、雌コネクタ２の本体２０の側面２３の間の距離をＸ１，溝７１の間の距離をＸ２、係合部３の突出部３０の間の距離（図３（ｄ）参照）をＸ３とすると、Ｘ２＜Ｘ３＜Ｘ１の関係があり、突出部３０は雌コネクタ２の溝７１の内部に必ず入り混む。この結果、図７に示す情報装置１０に２枚の基板５Ａ，５Ｂが高低差を備えて搭載され、ＦＦＣ１の両端の雄コネクタ４Ａ，４Ｂがそれぞれ基板５Ａ、５Ｂにある雌コネクタ２Ａ、２Ｂに結合する場合でも、雄コネクタ４Ａが雌コネクタ２Ａが外れる虞が低い。
【００２５】
これは、情報装置１０の基板５Ａの底面１０Ｂからの高さが、基板５Ｂの底面１０Ｂからの高さよりも高く、ＦＦＣ１に矢印Ｐで示す力が加わった場合でも、突出部３０が溝７１によって移動を阻止され、雌コネクタ２Ａの頂面２４Ａ方向には移動しないからである。よって、雄コネクタ４Ａ，４Ｂを備えるＦＦＣ１によって、基板５Ａ，５Ｂが接続された情報装置１０では、外力によってＦＦＣ１が外れる故障がなくなったので、装置の信頼性が高い。
【００２６】
図８（ａ）は、開示の第１の形態の第２の実施例の雄コネクタ４Ｓが第２の実施例の雌コネクタ２Ｓに結合される直前の状態を示す平面図である。第２の実施例の雄コネクタ４Ｓが、第１の実施例の雄コネクタ４と異なる点は、係合部３の第４の辺３４の内側にも突出部３０が設けられている点である。第２の実施例の雄コネクタ４Ｓのその他の構造は、第１の実施例の雄コネクタ４と同じであるので、同じ構成部材には同じ符号を伏してその説明を省略する。
【００２７】
一方、第２の実施例の雄コネクタ４Ｓが結合される第２の実施例の雌コネクタ２Ｓには、雄コネクタ４Ｓの第４の辺３４に設けられた突出部３０に対向する本体２０の背面２２にも、図８（ｂ）に示すように、溝７１が連続して設けられている。図８（ｃ）は第２の実施例の雄コネクタ４Ｓが第２の実施例の雌コネクタ２Ｓに結合された状態を示す平面図である。第２の実施例の雄コネクタ４Ｓが第２の実施例の雌コネクタ２Ｓに結合された状態では、第２、第３及び第４の辺３２，３３，３４に設けられた突出部３０がそれぞれ雌コネクタ２Ｓの本体２０の側面２３及び背面２２に設けられた溝７１に係合している。このため、第２の実施例の雄コネクタ４Ｓと雌コネクタ２Ｓの方が、係合箇所が多い分だけ係合部３が外れ難い。
【００２８】
図９（ａ）は、開示の第３の実施例の雌コネクタ２Ｔが基板５に実装された状態を示す正面図である。第３の実施例の雌コネクタ２Ｔが第１の実施例の雌コネクタ２と相違する点は、雄コネクタ４の突出部３０を係止する係止部７に、溝７１ではなく、係止突起７２が設けられている点である。係止突起７２は雌コネクタ２Ｔの本体２０の側面２３に設けられており、頂面２４側から側面２３の外側に向かって傾斜する斜面部７２Ａと、斜面部７２Ａに続く係止面７２Ｂがある。係止面７２Ｂは、斜面部７２Ａの下端部から側面２３に対して垂直な方向に形成されている。そして、この係止面７２Ｂと雌コネクタ２Ｔの底面との間には、雄コネクタ４の突出部３０を収容できる隙間がある。よって、第３の実施例の雌コネクタ２Ｔには、第１の実施例の雄コネクタ４を結合することができる。
【００２９】
図９（ｂ）は、第１の実施例の雄コネクタ４が、第３の実施例の雌コネクタ２Ｔに結合される直前の状態を示す平面図である。また、図９（ｃ）は第１の実施例の雄コネクタ４が第３の実施例の雌コネクタ２Ｔに結合された状態を示す平面図であり、図９（ｄ）は図９（ｃ）に示した状態を側面から見た側面図である。第１の実施例の雄コネクタ４が、第３の実施例の雌コネクタ２Ｔに結合される時には、突出部３０が係止突起７２の斜面部７２Ａを滑って移動し、係止面７２Ｂと雌コネクタ２Ｔが実装された基板５との間の隙間に入り込んで係止面７２Ｂに係止される。図９（ｃ）、（ｄ）には第１の実施例の雄コネクタ４が、第３の実施例の雌コネクタ２Ｔに結合され、突出部３０が係止突起７２によって係止された状態が示されている。
【００３０】
図１０は、開示の第３の実施例の雄コネクタ４Ｔの平面図である。第３の実施例の雄コネクタ４Ｔが第１の実施例の雄コネクタ４と相違する点は、第１の実施例の雄コネクタ４における第４の辺３４の中央部分が削除され、第４の辺３４が途中で分断されて連続していない点である。第３の実施例の雄コネクタ４Ｔは、第１の実施例の雌コネクタ２にも、第２の実施例の雌コネクタ２Ｓにも、第３の実施例の雌コネクタ２Ｔにも結合させることができる。また、第３の実施例の雄コネクタ４Ｔは、第４の辺３４が途中で分断されて左右に分かれているので、溝７１や係止突起７２に対して係合部３の突出部３０を係止させ易い。
【００３１】
図１１（ａ）は開示の第４の実施例の雄コネクタ４Ｆの製造工程を示す平面図であり、図１１（ｂ）は開示の第４の実施例の雄コネクタ４Ｆの平面図である。第４の実施例の雄コネクタ４Ｆを製造する時は、係合部３をＦＦＣ１の形成時にＦＦＣ１と一緒に打ち抜き加工して形成し、図１１（ａ）に示す状態にする。次に、図１１（ｂ）に示すように、第２から第４の辺３３〜３４の端子部６が露出する側の面に、弾性変形可能な補強板（ハッチングで示す部分）３６を取り付けている。第４の実施例の雄コネクタ４Ｆは、第１の実施例の雄コネクタ４と第３の実施例の雄コネクタ４Ｔと同様に、第１の実施例の雌コネクタ２、第２の実施例の雌コネクタ２Ｓ及び第３の実施例の雌コネクタ２Ｔに対して結合させることができる。
【００３２】
図１２（ａ）は開示の第５の実施例の雄コネクタ４Ｖの平面図である。第５の実施例の雄コネクタ４Ｖでは、係合部３がＦＦＣ１と一体的に形成されている。そして、係合部３は、ＦＦＣ１の先端部１Ｅの両側から突出する第１の辺３１と、第１の辺３１の両端部に接続して端子部６に沿って延伸された第２と第３の辺３２，３３と、第２と第３の辺３２，３３の先端部同士を接続する第４の辺３４を備える。第５の実施例の雄コネクタ４Ｖには変形部は設けられていない。係合部３の内法は雌コネクタ２の本体２０の外形よりもわずかに大きく、突出部３０が第２と第３の辺３２，３３に設けられている点は第１の実施例と同じである。
【００３３】
図１２（ｂ）は、開示の第４の実施例の雌コネクタ２Ｆが基板５に実装された状態の斜視図であり、図１２（ｃ）は第４の実施例の雌コネクタ２Ｆの背面図である。第５の実施例の雄コネクタ４Ｖには変形部は設けられていないので、第５の実施例の雄コネクタ４Ｖが第４の実施例の雌コネクタ２Ｆに結合する際には、第１から第４の辺３１〜３４は全て同じ面上にある。このため、第４の実施例の雌コネクタ２Ｆの本体２０の側面２３に形成される溝７３は、ＦＦＣ１の延長線上の位置に設けられている。図１２（ｄ）は、第５の実施例の雄コネクタ４Ｖが第４の実施例の雌コネクタ２Ｆに結合された状態を示す平面図である。この図から、第５の実施例の雄コネクタ４Ｖが第４の実施例の雌コネクタ２Ｆに結合した状態では、突出部３０が溝７３によって係止されていることが分る。
【００３４】
なお、第２の実施例の雄コネクタ４Ｓの第４の辺３４に設けられた突出部３０は、第３の実施例の雄コネクタ４Ｔ、第４の実施例の雄コネクタ４Ｆ及び第５の実施例の雄コネクタ４Ｖにも設けることができる。この場合、雌コネクタの本体部には、突出部３０を係止するために溝または係止突起を設ければ良い。
【００３５】
以上、本出願を特にその好ましい実施の形態を参照して詳細に説明した。本出願の容易な理解のために、本出願の具体的な形態を以下に付記する。
【００３６】
（付記１）  フレキシブルフラットケーブルを基板に接続するコネクタであって、
雄コネクタは、前記フレキシブルフラットケーブルの先端部に露出する端子部と、前記端子部の周囲の前記フレキシブルフラットケーブルに設けられて雌コネクタに係合する係合部を備え、
前記基板上に実装される前記雌コネクタは、本体と、前記本体の前面に設けられた前記端子部の受入部と、前記本体の側面に設けられて前記係合部が係合した後に前記係合部の前記本体の頂面側への移動を阻止する係止部を備えるコネクタ。
（付記２）  前記係合部は、前記端子部が前記受入部に受け入れられた状態で、前記本体の前記側面及び背面を周回する環状をしており、前記側面に対向する部位には前記係合部の内側に突出する突出部が設けられており、
前記側面には、前記突出部が挿入される溝が設けられている付記１に記載のコネクタ。
（付記３）  前記係合部は、前記端子部が前記受入部に受け入れられた状態で、前記本体の前記側面及び背面を周回する環状をしており、前記側面に対向する部位には前記係合部の内側に突出する突出部が設けられており、
前記側面には、前記頂面側から前記側面の外側に向かって傾斜し、前記側面の下端部側には、前記突出部を係止する前記側面に垂直な面を備える係止突起が設けられている付記１に記載のコネクタ。
（付記４）  前記係合部は前記フレキシブルフラットケーブルと別体であり、
前記フレキシブルフラットケーブルに取付けられる第１の辺と、
前記第１の辺の両端部に接続し、前記端子部に沿って延伸された第２と第３の辺と、
前記第２と第３の辺の先端部同士を接続し、前記第１の辺に平行に設けられた第４の辺を備え、
前記係合部の内法は前記本体の外形よりもわずかに大きく、前記突出部は前記第２と第３の辺に設けられている付記２または３に記載のコネクタ。
（付記５）  前記第２と第３の辺と前記第１の辺の両端部との接続部は柔軟に形成されており、前記端子部が前記受入部に受け入れられた状態で前記係合部を前記基板の上まで垂下させることが可能であり、前記溝は前記側面が前記基板に接する部分に設けられている付記４に記載のコネクタ。
【００３７】
（付記６）  前記突出部は前記第４の辺にも設けられており、
前記溝は、前記背面の前記基板に接する部分にも設けられている付記５に記載のコネクタ。
（付記７）  前記第４の辺には不連続な部分がある付記５に記載のコネクタ。
（付記８）  前記係合部は前記フレキシブルフラットケーブルと一体的に形成されており、
前記フレキシブルフラットケーブルの両側から突出する第１の辺と、
前記第１の辺の両端部に接続し、前記端子部に沿って延伸された第２と第３の辺と、
前記第２と第３の辺の先端部同士を接続し、前記第１の辺に平行に設けられた第４の辺を備え、
前記係合部の内法は前記本体の外形よりもわずかに大きく、前記突出部は前記第２と第３の辺に設けられている付記２または３に記載のコネクタ。
（付記９）  前記溝は、前記側面の前記フレキシブルフラットケーブルの延長線上に設けられている付記８に記載のコネクタ。
（付記１０）  前記突出部は前記第４の辺にも設けられており、
前記溝は、前記背面にも連続して設けられている付記９に記載のコネクタ。
【００３８】
（付記１１）  筐体内に搭載された少なくとも２数の基板同士がフレキシブルフラットケーブルで接続される情報装置であって、
前記２枚の基板には雌コネクタが実装されており、
前記雌コネクタと前記雄コネクタは、付記１から１０の何れかに記載の雌コネクタと前記雄コネクタである情報装置。
（付記１２）  筐体内に搭載された少なくとも２数の基板の間には高低差がある付記１１に記載の情報装置。
【符号の説明】
【００３９】
１    フレキシブルフラットケーブル
２、２Ａ，２Ｂ、２Ｆ，２Ｓ，２Ｔ    雌コネクタ
３    係合部
４、４Ａ，４Ｂ、４Ｆ，４Ｓ，４Ｔ，４Ｖ    雄コネクタ
５    基板
６    端子部
７    係止部
１０    情報装置
２０    本体
２２    背面
２３    側面
２４    頂面
３０    突出部
７１、７３    溝
７２    係止突起
【図１】
2018098148.tif 000003
【図２】
2018098148.tif 000004
【図３】
2018098148.tif 000005
【図４】
2018098148.tif 000006
【図５】
2018098148.tif 000007
【図６】
2018098148.tif 000008
【図７】
2018098148.tif 000009
【図８】
2018098148.tif 000010
【図９】
2018098148.tif 000011
【図１０】
2018098148.tif 000012
【図１１】
2018098148.tif 000013
【図１２】
2018098148.tif 000014